(57)【要約】【課題】必要とされる引き力が減少される飲料容器のための開口を形成するための構造を提供する。【解決手段】飲料缶および容器が、タブによって作動される取り外し可能なパネルを有する。タブは、慣用的な完全孔端部よりも小さいが、より小さい端部に必要とされるより小さい引き力の故に開放を可能にする。ステイオンタブも提供される。【選択図】図２
2015534526.tif 000002
【特許請求の範囲】
【請求項１】
小径およびステイオンタブを有する飲料缶端部であって、該飲料缶端部は、
周辺カールと、該周辺カールから延びる壁構造と、前記壁構造に対して内方に延びる中央パネルと、を含み、前記周辺カールは、２００以下の端寸法を規定するシームを作るために飲料缶フランジに一緒にシーム接合されることができ、
引き裂きパネルを規定する前記中央パネルに形成された非連続なスコアをさらに含み、前記引き裂きパネルは、少なくとも０．３５平方インチ（２２６ｍｍ2）の開口を形成するように開放可能であり、
前記中央パネルの中心からオフセットされたリベットと、
前記リベットによって前記中央パネルに結合されたプルタブと、をさらに含み、前記プルタブは、該プルタブを作動させたときに前記スコアを破断するように構成されたノーズと、前記ノーズの反対側のヒールと、を有し、前記プルタブのヒールは、指の接近を向上させるために、少なくとも０．３インチ（７．６２ｍｍ）だけ前記シームから間隔を隔てて配置されている、ことを特徴とする飲料缶端部。
【請求項２】
前記開口は、少なくとも１．７５、かつ３．５以下のアスペクト比を有する、ことを特徴とする請求項１に記載の飲料缶端部。
【請求項３】
前記開口は、少なくとも２．０、かつ３．０以下のアスペクト比を有する、ことを特徴とする請求項１に記載の飲料缶端部。
【請求項４】
前記開口は、少なくとも２．５、かつ２．７５以下のアスペクト比を有する、ことを特徴とする請求項１に記載の飲料缶端部。
【請求項５】
缶端部は、３０００シリーズのアルミニウム合金で形成されている、ことを特徴とする請求項１に記載の飲料缶端部。
【請求項６】
缶端部の寸法は、１１４以下である、ことを特徴とする請求項１に記載の飲料缶端部。
【請求項７】
缶端部の寸法は、１１２以下である、ことを特徴とする請求項１に記載の飲料缶端部。
【請求項８】
缶端部の寸法は、１１０以下である、ことを特徴とする請求項１に記載の飲料缶端部。
【請求項９】
完全孔飲料缶端部であって、該飲料缶端部は、
周辺カールと、該周辺カールから延びる壁構造と、前記壁構造に対して内方に延びる中央パネルと、を含み、
取り外し可能なパネルを規定する前記中央パネルに形成されたスコアと、
前記中央パネルの中心からオフセットされたリベットと、
前記リベットによって前記中央パネルに結合されたプルタブと、をさらに含み、前記プルタブは、前記リベットの近くに配置され、前記スコアを破断するように構成されたノーズを有し、前記プルタブは、０．５インチ（１２．７ｍｍ）未満の長さを有し、平均的な大人の指の完全な挿入を制限し、平均的な大人の指先の挿入を可能にするように構成された指開口部を含む、ことを特徴とする完全孔飲料缶端部。
【請求項１０】
前記指開口部は、少なくとも０．２インチ（５．０８ｍｍ）の高さと、０．４〜１．０インチ（１０．２〜２５．４ｍｍ）の幅を有する、ことを特徴とする請求項９に記載の完全孔飲料缶端部。
【請求項１１】
前記指開口部は、０．２〜０．４インチ（５．０８〜１０．２ｍｍ）の高さと、０．４〜０．８インチ（１．０２〜２．０３ｍｍ）の幅を有する、ことを特徴とする請求項９に記載の完全孔飲料缶端部。
【請求項１２】
前記プルタブは、１．１５インチ（２９．２ｍｍ）以下である前記ノーズの遠位端からタブのヒールの遠位端までの長さを有する、ことを特徴とする請求項９に記載の完全孔飲料缶端部。
【請求項１３】
前記プルタブは、１．０５インチ（２６．７ｍｍ）以下である前記ノーズの遠位端からタブのヒールの遠位端までの長さを有する、ことを特徴とする請求項９に記載の完全孔飲料缶端部。
【請求項１４】
前記プルタブは、１．００インチ（２５．４ｍｍ）以下である前記ノーズの遠位端からタブのヒールの遠位端までの長さを有する、ことを特徴とする請求項９に記載の完全孔飲料缶端部。
【請求項１５】
前記指開口部は、０．２５平方インチ（１６１ｍｍ2）以下の面積を有する、ことを特徴とする請求項９に記載の完全孔飲料缶端部。
【請求項１６】
前記指開口部は、０．２０平方インチ（１２９ｍｍ2）以下の面積を有する、ことを特徴とする請求項９に記載の完全孔飲料缶端部。
【請求項１７】
前記指開口部は、０．１５平方インチ（９６．８ｍｍ2）以下の面積を有する、ことを特徴とする請求項９に記載の完全孔飲料缶端部。
【請求項１８】
前記中央パネルは、２００寸法以下の端部寸法を有する、ことを特徴とする請求項９に記載の完全孔飲料缶端部。
【請求項１９】
前記中央パネルは、１１４寸法以下の端部寸法を有する、ことを特徴とする請求項９に記載の完全孔飲料缶端部。
【請求項２０】
前記中央パネルは、１１０寸法以下の端部寸法を有する、ことを特徴とする請求項９に記載の完全孔飲料缶端部。
【請求項２１】
前記中央パネルは、１０８寸法以下の端部寸法を有する、ことを特徴とする請求項９に記載の完全孔飲料缶端部。
【請求項２２】
前記中央パネルは、１．７インチ（４３．２ｍｍ）以下の径を有する、ことを特徴とする請求項９に記載の完全孔飲料缶端部。
【請求項２３】
前記中央パネルは、１．６インチ（４０．６ｍｍ）以下の径を有する、ことを特徴とする請求項９に記載の完全孔飲料缶端部。
【請求項２４】
前記中央パネルは、１．５インチ（３８．１ｍｍ）以下の径を有する、ことを特徴とする請求項９に記載の完全孔飲料缶端部。
【請求項２５】
前記中央パネルは、１．２５インチ（３１．８ｍｍ）以下の径を有する、ことを特徴とする請求項９に記載の完全孔飲料缶端部。
【請求項２６】
前記中央パネルは、１．０インチ（２５．４ｍｍ）以下の径を有する、ことを特徴とする請求項９に記載の完全孔飲料缶端部。
【請求項２７】
前記取り外し可能なパネルの特徴的な寸法は、約１．６５インチ（４１．９ｍｍ）以下である、ことを特徴とする請求項９に記載の完全孔飲料缶端部。
【請求項２８】
前記取り外し可能なパネルの特徴的な寸法は、約１．５５インチ（３９．４ｍｍ）以下である、ことを特徴とする請求項９に記載の完全孔飲料缶端部。
【請求項２９】
前記取り外し可能なパネルの特徴的な寸法は、約１．４５インチ（３６．８ｍｍ）以下である、ことを特徴とする請求項９に記載の完全孔飲料缶端部。
【請求項３０】
前記取り外し可能なパネルの特徴的な寸法は、約１．２０インチ（３０．５ｍｍ）以下である、ことを特徴とする請求項９に記載の完全孔飲料缶端部。
【請求項３１】
前記取り外し可能なパネルの特徴的な寸法は、約１．００インチ（２５．４ｍｍ）以下である、ことを特徴とする請求項９に記載の完全孔飲料缶端部。
【請求項３２】
前記取り外し可能なパネルによって構成される面積は、前記中央パネルによって構成される面積の６０％よりも大きい、ことを特徴とする請求項９に記載の完全孔飲料缶端部。
【請求項３３】
前記取り外し可能なパネルによって構成される面積は、前記中央パネルによって構成される面積の７５％よりも大きい、ことを特徴とする請求項９に記載の完全孔飲料缶端部。
【請求項３４】
前記取り外し可能なパネルによって構成される面積は、前記中央パネルによって構成される面積の８５％よりも大きい、ことを特徴とする請求項９に記載の完全孔飲料缶端部。
【請求項３５】
前記スコアは、連続的である、ことを特徴とする請求項９に記載の完全孔飲料缶端部。
【請求項３６】
缶端部は、アルミニウムで形成されている、ことを特徴とする請求項９に記載の完全孔飲料缶端部。
【請求項３７】
缶端部は、３０００シリーズのアルミニウム合金および５０００シリーズのアルミニウム合金の１つで形成されている、ことを特徴とする請求項９に記載の完全孔飲料缶端部。
【請求項３８】
缶端部は、３０００シリーズのアルミニウム合金で形成されている、ことを特徴とする請求項９に記載の完全孔飲料缶端部。
【請求項３９】
完全孔飲料缶端部であって、該完全孔飲料缶端部は、
周辺カールと、該周辺カールから延びる壁構造と、前記壁構造に対して内方に延びる中央パネルと、を含み、
引き裂きパネルを規定する前記中央パネルに形成されたスコアと、
前記中央パネルの中心からオフセットされたリベットと、
前記リベットによって前記中央パネルに結合されたプルタブと、をさらに含み、前記プルタブは、前記リベットの近くに配置され、前記スコアを破断するように構成されたノーズと、前記ノーズの反対側のヒールと、前記ヒールと前記ノーズとの間に位置する本体によって構成された孔と、前記ヒールから間隔を隔てて配置された持ち上げ表面と、を有し、前記持ち上げ表面は、前記プルタブをその静止位置から、持ち上げのためにプルタブの孔が接近可能である位置まで持ち上げるために、使用者によって接触されるようになっている、ことを特徴とする完全孔飲料缶端部。
【請求項４０】
タブのヒールと端部壁の間の隙間距離は、０．５インチ（１２．７ｍｍ）未満である、ことを特徴とする請求項３９に記載の完全孔飲料缶端部。
【請求項４１】
タブのヒールと端部壁の間の隙間距離は、０．４インチ（１０．２ｍｍ）未満である、ことを特徴とする請求項３９に記載の完全孔飲料缶端部。
【請求項４２】
タブのヒールと端部壁の間の隙間距離は、０．３インチ（７．６２ｍｍ）未満である、ことを特徴とする請求項３９に記載の完全孔飲料缶端部。
【請求項４３】
前記持ち上げ表面は、前記リベットの近くの本体からの後方突出部によって形成されている、ことを特徴とする請求項３９に記載の完全孔飲料缶端部。
【請求項４４】
前記孔は、前記突出部によって中断されている湾曲を有する、ことを特徴とする請求項４３に記載の完全孔飲料缶端部。
【請求項４５】
前記持ち上げ表面は、前記タブ本体からの少なくとも１つの外方側方突出部によって成されている、ことを特徴とする請求項３９に記載の完全孔飲料缶端部。
【請求項４６】
前記中央パネルは、２００寸法以下の端部寸法を有する、ことを特徴とする請求項３９に記載の完全孔飲料缶端部。
【請求項４７】
前記プルタブのヒールは、該プルタブの作動を可能にするように、缶端部が与圧缶にシーム接合されるときに中央パネルから間隔を隔てて配置されるように構成されている、ことを特徴とする請求項３９に記載の完全孔飲料缶端部。
【請求項４８】
前記中央パネルは、指の接近を向上させるために、ヒールの下または近くの凹部を含む、ことを特徴とする請求項３９に記載の完全孔飲料缶端部。
【発明の詳細な説明】
【技術分野】
【０００１】
本発明は、飲料容器に関し、さらに詳しくは、飲料容器のための開口を形成するための構造に関する。
【背景技術】
【０００２】
飲料缶のための最も普及している開放機構は、ヒンジ止めされた引き裂きパネルを開放するステイオンタブ(stay-on-tab)である。タブは、すべての商業的に生産されるステイオンタブ飲料缶上の端部の中心にあるリベットによって缶端部に取り付けられている。完全孔食品缶端部(full aperture hood can ends)もまた、知られている。
【０００３】
取り外し可能なパネルを有する或る飲料缶が、生産されてきた。飲料缶用の取り外し可能なパネルが、例えば、本願発明の譲受人によって所有されている「完全孔飲料端部(Full Aperture Beverage End)」との名称の米国特許出願第12/797171号に記載されている。図１Ａに示されているように、従来技術の 完全孔飲料缶１１０は、２０６寸法の端部１１４を収容するようにネッキングされた２１１寸法の飲料缶本体１１２を含む。端部１１４は、傾斜壁１２２、補強用ビード１２４、取り外し可能なパネル１２６、および、スコア１３０を含む。プルタブ１４０が、リベット１３６でパネル１２６に取り付けられている。プルタブ１４０は、大人の指が内部に嵌まる孔を含む。
【０００４】
缶寸法の業界慣習は、インチと１／１６インチの量を表す３桁を採用している。かくして、２１１缶本体は、公称２と１１／１６インチの径を有する。当業界では理解されているように、また、本開示に亘って採用されているように、公称飲料缶端部寸法は、シームの外側の正確な測定値に言及するものではない。むしろ、公称寸法は、正確な径にもはや一致しない業界基準である。なぜならば、飲料産業は、ミニシーム(mini-seam)と一般的に呼ばれるシーム接合技術(seaming technology)に転換されているからである。これに関連して、公称寸法とは、一般的に、古いダブルシーム(double seam)から現代のミニシームへの変化に対応する寸法をいう。
【０００５】
食品缶端部用の取り外し可能なパネルは、飲料缶端部用の取り外し可能なパネルよりもより商業的に普及している。食品容器を開放するための取り外し可能なパネルは、代表的には、ブリキ板本体上にシーム接合された端部を有する。取り外し可能なパネルは、平均的な大人の使用者が人差し指を第１指関節まで挿入することができる開口部を有するタブによって開放される連続的なスコア（score）によって形成される。使用者は、タブのノーズ(nose)がスコアの短い部分を破断するように、取り外し可能なパネルに形成されたリベットを中心にしてタブを回動させるようにタブのヒールを持ち上げることによって開放手順を開始する。次いで、使用者は、パネルのまわりでスコアの破断を伝搬させ、端部の残部から取り外し可能なパネルを取り外すのに十分な力での引きを可能にするようにタブの開口部に自己の指を挿入する。従来技術の完全孔飲料缶のための開放手順は、食品缶のために上述されたのと同じである。
【０００６】
食品缶端部上で一般的に使用される慣用的な商業的なブリキ板の完全孔スコアの径は、少なくとも２．３４５インチ（６０ｍｍ）である。慣用的な完全孔リングプルタブは、代表的には、０．６インチ(１５．２ｍｍ)の指穴径を持つ長さが１．３インチ(３３．０ｍｍ)、すなわち、０．２８３平方インチ(１８３ｍｍ2)である。リベットの中心から慣用的な商業的なブリキ板の完全孔端部のヒールの先端までの寸法は、１．００インチ（２５．４ｍｍ）である。最も小さい商業的に普及しているブリキ板の取り外し可能なパネル、または、完全孔端部は、２０１である。
【０００７】
下記特許文献１は、テーパ付き缶ネック上の端部を開示している。第１の実施形態では、タブが、リベットが取り付けられている細長い本体と、この細長い本体の一端に設けられたヒールと、この細長い本体の他端に設けられたノーズと、を含む。リベットは、開口を形成する引き裂きパネルの反対側の端部の中心線からオフセットされている。換言すれば、従来技術の缶端部では、缶端部の中心線は、リベットと引き裂きパネルの間にある。引き裂きパネルを開放するために、使用者は、ヒールが空中で片持ちされるように缶のシーム上でタブの端を回動させる。特許文献１の他の実施形態では、使用者は、非慣用的なプルタブの端を把持して、タブの一部が直立するまでヒンジでタブを曲げる。タブをまっすぐに引き、穿孔ノーズにより下向きの力を加える第２の段階で、スコアは開放される。
【先行技術文献】
【特許文献】
【０００８】
【特許文献１】米国特許第8,109,406号
【発明の概要】
【発明が解決しようとする課題】
【０００９】
本発明は、ステイオンタブを有し、または、完全孔端部のような取り外し可能なパネルを有する飲料缶端部を包含する。完全孔端部では、小径の端部のために最初の破断後にスコアを伝搬するのに必要な引き力は、慣用的な開口寸法のために必要とされる対応する引き力よりも小さい。例えば、２００寸法、または、それよりも小さい、例えば、１１４、１１２、１０８寸法の缶端部は、より大きな缶端部径のために必要とされる引き力よりも著しく小さい引き力を必要とし、このことは、完全孔端部を開放するために明らかな利点である。より小さい端部のために必要とされる引き力が減少される理由の１つは、より小さな端部のためのバックル性能における固有の利点を利用するために、より小さな端部は、（より大きな端部に比べて）より薄い材料で作られる傾向があることである。
【００１０】
発明者は、必要とされる引き力が減少されるもう１つの秘儀的な理由、すなわち、圧力下における増大されたドーミング(doming)を推測する。圧力が加えられる前に、プレートが平らなときに、完全孔端部のスコアは形成される。しかしながら、より小さなより薄い端部は、より大きな端部に比べて、より大きな程度塑性変形する（すなわち、曲率半径はより小さい）。発明者は、スコアの領域により大きな曲率を作り出すより小さい端部の加圧時の変形の大きさが、剥離が消費者によって作動されるときに、より小さな引き力を必要とするように剥離を助長すると推測する。
【課題を解決するための手段】
【００１１】
本発明の第１の観点によれば、ステイオンタブを有する小径のための飲料缶端部は、周辺カールと、該周辺カールから延びる壁構造と、前記壁構造に対して内方に延びる中央パネルと、を含む。前記周辺カールは、２００以下の端寸法を規定するシームを作るために飲料缶フランジに一緒にシーム接合されることができる。端部は、引き裂きパネルを規定する前記中央パネルに形成された非連続なスコアをさらに含み、前記引き裂きパネルは、少なくとも０．３５平方インチ（２２６ｍｍ2）の開口を形成するように開放可能である。リベットが、前記中央パネルの中心からオフセットされている。プルタブが、前記リベットによって前記中央パネルに結合されている。前記プルタブは、該プルタブを作動させたときに前記スコアを破断するように構成されたノーズと、前記ノーズの反対側のヒールと、を有する。前記プルタブのヒールは、指の接近を向上させるために、少なくとも０．３インチ（７．６２ｍｍ）だけ前記シームから間隔を隔てて配置されている。用語「壁構造」が、シェルの壁を指すために本願明細書および特許請求の範囲で使用されており、随意には、環状補強用ビードを包含する。
【００１２】
飲料缶の前記開口は、少なくとも１．７５、かつ３．５以下のアスペクト比を有し、より好ましくは、少なくとも２．０、かつ３．０以下のアスペクト比を有し、最も好ましくは、少なくとも２．５、かつ２．７５以下のアスペクト比を有する。前記缶端部は、３０００シリーズのアルミニウム合金で形成されているのがよい。利点はより小さい缶寸法で生じることができるので、前記缶端部の寸法は、１１４以下であるか、１１２以下であるか、あるいは、１１０以下である。
【００１３】
本発明のもう１つの観点によれば、完全孔飲料缶端部が、周辺カールと、該周辺カールから延びる壁構造と、前記壁構造に対して内方に延びる中央パネルと、を含む。
前記中央パネルに形成されたスコアが、取り外し可能なパネルを規定する。リベットが、前記中央パネルの中心からオフセットされている。プルタブが、前記リベットによって前記中央パネルに結合されており、前記プルタブは、前記リベットの近くに配置され、前記スコアを破断するように構成されたノーズを有する。前記プルタブは、０．５インチ（１２．７ｍｍ）未満の長さを有し、平均的な大人の指の完全な挿入を制限し、平均的な大人の指先の挿入を可能にするように構成された指開口部を含む。
【００１４】
好ましくは、前記指開口部は、（細長いタブに一致させて測定された）少なくとも０．２インチ（５．０８ｍｍ）の高さと、０．４〜１．０インチ（１０．２〜２５．４ｍｍ）の幅を有し、より好ましくは、０．２〜０．４インチ（５．０８〜１０．２ｍｍ）の高さと、０．４〜０．８インチ（１．０２〜２．０３ｍｍ）の幅を有する。前記プルタブの前記ノーズの遠位端からタブのヒールの遠位端までの長さは、１．１５インチ（２９．２ｍｍ）以下であり、より好ましくは１．０５インチ（２６．７ｍｍ）以下であり、より好ましくは１．００インチ（２５．４ｍｍ）以下である。
【００１５】
前記指開口部の面積は、好ましくは０．２５平方インチ（１６１ｍｍ2）以下であり、より好ましくは０．２０平方インチ（１２９ｍｍ2）以下であり、より好ましくは０．１５平方インチ（９６．８ｍｍ2）以下である。前記中央パネルは、好ましくは２００寸法以下の端部寸法を有し、より好ましくは１１４寸法以下の端部寸法を有し、より好ましくは１１０寸法以下の端部寸法を有し、より好ましくは１０８寸法以下の端部寸法を有する。同様に、好ましくは。前記中央パネルは、１．７インチ（４３．２ｍｍ）以下の径を有し、より好ましくは１．６インチ（４０．６ｍｍ）以下の径を有し、より好ましくは１．５インチ（３８．１ｍｍ）以下の径を有し、より好ましくは１．２５インチ（３１．８ｍｍ）以下の径を有し、さらに好ましくは１．０インチ（２５．４ｍｍ）以下の径を有する。
【００１６】
構造の寸法を測定するもう１つの方法は、取り外し可能なパネルの特徴的な寸法によるものである。円形のパネルでは、かかる特徴的な寸法は、径である。非円形のパネルでは、かかる特徴的な寸法は、パネル上の任意の場所で測定された最大の直線的距離である。好ましくは、前記取り外し可能なパネルの特徴的な寸法は、約１．６５インチ（４１．９ｍｍ）以下であり、より好ましくは約１．５５インチ（３９．４ｍｍ）以下であり、より好ましくは約１．４５インチ（３６．８ｍｍ）以下であり、より好ましくは約１．２０インチ（３０．５ｍｍ）以下であり、さらにより好ましくは約１．００インチ（２５．４ｍｍ）以下である。好ましくは、前記取り外し可能なパネルによって構成される面積は、前記中央パネルによって構成される面積の６０％よりも大きく、より好ましくは前記中央パネルによって構成される面積の７５％よりも大きく、より好ましくは前記中央パネルによって構成される面積の８５％よりも大きい。パネルは取り外し可能であるので、前記スコアは、連続的である。
【００１７】
本願に記載されている缶端部はいずれも、３０００シリーズのアルミニウム合金、または、５０００シリーズのアルミニウム合金のようなアルミニウムで形成されているのがよい。
【００１８】
端部は、持ち上げ特徴部を使用してもよい。完全孔飲料缶端部は、周辺カールと、該周辺カールから延びる壁構造と、前記壁構造に対して内方に延びる中央パネルと、を含む。前記中央パネルに形成されたスコアが、取り外し可能なパネルを規定する。リベットが、前記中央パネルの中心からオフセットされている。プルタブが、前記リベットによって前記中央パネルに結合されている。前記プルタブは、前記リベットの近くに配置され、前記スコアを破断するように構成されたノーズと、前記ノーズの反対側のヒールと、前記ヒールと前記ノーズとの間に位置する本体によって形成された孔と、前記ヒールから間隔を隔てて配置された持ち上げ表面と、を有する。前記持ち上げ表面は、前記プルタブを、その静止位置から、さらなる持ち上げのためにプルタブの孔が接近可能である位置まで持ち上げるために、使用者によって接触されるようになっている。前記持ち上げ表面は、前記リベットの近くの本体からの後方突出部によって形成されているのがよく、あるいは、前記タブ本体からの少なくとも１つの外方側方突出部によって形成されているのがよい。これに関して、前記突出部は、前記孔の湾曲を中断する。
【００１９】
タブのヒールと端部壁の間の隙間距離は、０．５インチ（１２．７ｍｍ）未満であり、好ましくは０．４インチ（１０．２ｍｍ）未満であり、より好ましくは０．３インチ（７．６２ｍｍ）未満である。
【００２０】
本発明はまた、中実タブも包含する。完全孔飲料缶端部は、周辺カールと、該周辺カールから延びる壁と、前記壁から内方に延びる中央パネルと、を含む。前記中央パネルに形成されたスコアが、取り外し可能なパネルを規定する。リベットが、前記中央パネルの中心からオフセットされており、前記取り外し可能なパネル上に形成されている。プルタブが、前記リベットによって前記中央パネルに結合されている。前記プルタブは、前記リベットの近くに配置され、前記スコアを破断するように構成されたノーズと、前記ノーズの反対側のヒールと、指孔のない中実である前記ヒールと前記ノーズの間の本体と、を有する。前記タブのヒールは、該タブの作動を可能にするように、缶端部が与圧缶にシーム接合されるときに中央パネルから間隔を隔てて配置されるように構成されている。また、前記中央パネルは、指の接近を向上させるために、ヒールの下または近くの凹部を含んでもよい。
【００２１】
本発明は、ステイオンタブを有する２００寸法以下の端部、または、完全孔端部のような取り外し可能なパネルを有する端部を包含する。本願に記載されている端部は、好ましくは、１１４以下の寸法、１１２以下の寸法、あるいは、１０８以下の寸法を有する端部を包含する。本発明はまた、或る構成のために２００寸法よりも大きい端部を包含し、また、非対称の開口を有する端部を包含する。したがって、本発明者は、本発明が、特許請求の範囲の当初のおよび将来の記載の全範囲を与えられることを意図する。
【図面の簡単な説明】
【００２２】
【図１Ａ】飲料缶用の従来技術の完全孔飲料缶を示す図である。
【図１Ｂ】２００寸法の缶端部を示す図である。
【図２】静止位置にあるタブを有し、大きくネッキングされた飲料缶に取り付けられている完全孔飲料端部の斜視図である。
【図３】缶が「ポンと開く」ように部分的に作動された状態にあるタブ図１の完全孔端部および飲料缶の斜視図である。
【図４】取り外し可能なパネルが除去された図１の全孔端部および飲料缶の斜視図である。
【図５Ａ】１１２寸法の完全孔飲料缶端部の斜視図である。
【図５Ｂ】図５Ａの完全孔飲料缶端部の横断面である。
【図６Ａ】１０８寸法の完全孔飲料缶端部の斜視図である。
【図６Ｂ】図６Ａの完全孔飲料缶端部の横断面である。
【図７】タブの孔の内側の把持特徴部を示す１０８寸法の完全孔飲料缶端部の平面図である。
【図８】孔を有しないべたのタブを示す１０８寸法の完全孔飲料缶端部の平面図である。
【図９】図８の完全孔飲料缶端部の側面図である。
【図１０】図示のためにタブが除去されているオフセットリベットを有する１１２寸法の完全孔飲料缶端部の平面図である。
【図１１】タブを含む図１０し示されている端部の平面図である。
【図１２】対応する缶本体の端底部に対する寸法を示す端部の横断面図である。
【発明を実施するための形態】
【００２３】
本発明は、「完全孔端部」として知られているような取り外し可能な孔パネルを有する端部、かかる端部を使用した缶組立体、および、ステイオンタブを使用したヒンジ止めパネルを有する端部を包含する。全体的に図面を参照すると、いずれかの型の飲料缶組立体１０は、シーム２０で接合された缶本体１２および缶端部１４を含み、シーム２０は、好ましくは、飲料缶に共通する慣用的なダブルシームである。参照番号１４は、完全孔端部のような取り外し可能なパネル型端部、およびステイオンタブ端部の両方を含む本願に開示されている本発明の端部を全体的に指している。端部の実施形態は、添え字を有する。
【００２４】
本発明は、特許請求の範囲で明示的に記載されていない限り、特定の缶寸法、缶材料、端寸法に限定されない。したがって、本発明の観点を例示的に説明するために、図面に示されている２１１（６６ｍｍ）寸法の缶本体は、大きくネッキングされており、かかるネッキング（necking）は、缶製造技術を熟知している当業者には理解されるように、慣用的なネッキング機械（necking machine）および技術によって実行することができる。好ましくは、缶本体１２は、３０００シリーズ合金のようなアルミニウム合金で形成された一体部品（one-piece）のドローおよびアイアニングされた（drawn and ironed）飲料缶本体である。
【００２５】
缶本体１２は、好ましくは、組み合わされた缶本体１２および端部によって形成されたシーム２０が好ましくは２１１よりも小さい寸法を有するようなネック（neck）１６を有する。例えば、２１１缶本体（あるいは、５８ｍｍ缶本体のような他の缶本体径）は、図面に示された任意の２００またはそれ未満、例えば、１１２（４４ｍｍ）または１０８（３８ｍｍ）缶寸法に一致するようにネッキングすることができる。本願に開示されている本発明の端部がいずれの材料、およびいずれの径にも限定されないとしても、それらは、２００径またはそれ未満の端部が好ましいように、より小さい端部寸法および／またはかなりのネッキングの大きさを有する缶のために特に有利である。
【００２６】
（図面には示されていない）シーム接合されていない状態の缶端部１４は、シーム接合されるときに、缶本体１２の一部と共にシーム２０を形成する周辺カールを含む。端部１４は、シーム２０から内方に延びる壁２２を含む。端部１４はまた、壁２２から内方に延びる環状補強用ビード２４を含むのがよい。中央パネル２６が、ビード２４から内方に延びるのがよい。本発明が向けられている端部はまた、補強用ビードと中央パネルの間に湾曲部または面取り部を形成するパネル壁のようなパネル壁を有するのがよい。寸法、形状、および、型（すなかわ、取り外し可能なパネルか、ステイオンタブか）に関わりなく、端部の中央パネルの実施形態を指すために、参照番号２６が使用されている。例えば、米国特許第6,877,941号(Brifcani)、米国特許第8,157,119号(Lockly)、米国特許第6,499,622号(Neiner)、および、それらの商業的な均等物および変形に示されているような現代的な軽量端部シェルは、Ｂ６４端部として知られている端部のようなより古いすなわち非軽量端部と比較して、シーム径に比べて小さい補強用ビード径およびパネル径を有する。本願に開示されている端部は、（上記されていない他の現代的な軽量端部を含めた）現代的な軽量端部シェル、あるいは、ｂ６４端部のようなより古い端部シェルと共に使用することができる。
【００２７】
図２は、タブ４０が略水平である静止状態で示されている完全孔型端部１４を示している。図５Ａおよび図５Ｂに示されているような第１の実施形態の端部１４ａによれば、タブ４０ａは、ノーズ４２ａ、本体４４ａ、ヒール４６ａ、および、リム４８ａを含む。ノーズ４２ａは、以下でより十分に説明するように、ノーズ４２ａが力を与えることを可能にするように、尖っている。ヒール４６ａは、ノーズ４２ａの反対側に位置する。本体４４ａは、ノーズ４２ａとヒール４６ａの間で延び、細長い。リム４８ａが、該リム４８ａが、指孔５０ａを構成するように、本体４４ａおよびヒール４６ａの一部によって形成されている。リベット３６ａが、好ましくは慣用的な手段によって、本体４４ａに取り付けられている。口髭スコア５２ａまたは他のベント（図面に示されていない）が使用されているのがよい。端部の上方に課された卵形は、８ｍｍの隙間を反映している。
【００２８】
中央パネル２６ａは、スコア３０ａを含み、スコア３０ａは、好ましくは、スコア３０が取り外し可能なパネル３２ａの境界を規定するように連続的である。好ましくは慣用的であるリベット３６ａが、取り外し可能なパネル３２ａ上に形成されている。リベット３６ａは、ノーズ４２ａの先端が、中央パネル２６ａの接触部分３４ａの近くに位置するように中央パネル２６ａの中心からオフセットされている（すなわち、間隔を隔てて配置されている）。接触部分３４ａは、タブのノーズ４２ａが開放手順中に接触する中央パネルの部分である。接触部分３４ａは、好ましくは、スコア３０ａの所定の部分の近くにあるように選択される。
【００２９】
図６Ａおよび図６Ｂは、もう１つの実施形態の完全孔端部１４ｂを示しており、タブ４０ｂが、ノーズ４２ｂ、本体４４ｂ、ヒール４６ｂ、および、リム４８ｂを含む。ノーズ４２ｂは、以下でより十分に説明するように、ノーズ４２ｂが力を与えることを可能にするように、尖っている。ヒール４６ｂは、ノーズ４２ｂの反対側に位置する。本体４４ｂは、ノーズ４２ｂとヒール４６ｂの間で延びる。リム４８ｂが、該リム４８ｂが、指孔５０ｂを構成するように、本体４４ｂおよびヒール４６ｂの一部によって形成されている。リベット３６ｂ、口髭スコア５２ｂ、スコア３０ｂ、および、接触部分３４ｂは、第１の実施形態の端部１４ａために上述したのと同様である。
【００３０】
タブ４０ａおよび４０ｂの長さは、シームの壁２２とヒール４６ａおよび４６ｂとの間に０．３２インチ（８ｍｍ）の隙間を作るように選択される。したがって、ノーズ４２の遠位端からヒールの近位端までの長さは、約１．１５インチ（２９．２ｍｍ）以下であり、より好ましくは約１．０５インチ（２６．７ｍｍ）以下であり、さらにより好ましくは約１．００インチ（２５．４ｍｍ）以下である。他の好ましい隙間距離（すなわち、タブのヒールとシーム２０または壁２２との間の水平距離）が考えられる。好ましくは、隙間距離は、タブのヒールの背後の指接近スペースに依存した実施形態のために６ｍｍよりも大きい。
【００３１】
指孔５０ａ、５０ｂは、（それぞれ）タブ４０ａ、４０ｂによって構成され、好ましくは、指関節まで平均的な大人の指が完全に挿入されるのを制限するように構成されている。むしろ、指孔５０ａ、５０ｂは、好ましくは、平均的な大人の指だけの挿入を可能にするように構成されている。好ましくは、指の爪の部分に亘って大人の指が挿入可能である（すなわち、人差し指の遠位指骨が孔に挿入可能であるが、遠位指骨と中間指骨の間の関節までは完全には挿入可能でない）ように寸法決めされている。指孔５０ａ、５０ｂは、指の先端部の最遠位部分だけを受け入れるように寸法決めされているので、消費者は、人差し指の先端部と親指の先端部の間にタブまたは孔を挟むことによって、タブに係合する。
【００３２】
これに関して、指孔５０ａ、５０ｂの面積は、約０．２５平方インチ（１２９ｍｍ2）以下であり、より好ましくは約０．１５平方インチ（９６．７ｍｍ2）以下である。また、指孔５０ａ、５０ｂは、好ましくは、約０．２インチ（５．０８ｍｍ）と約０．５インチ（１２．７ｍｍ）の間の長さ、および、約０．４インチ（１０．２ｍｍ）と約０．１インチ（２．５４ｍｍ）の間の幅を有し、より好ましくは、約０．２インチ（５．０８ｍｍ）と約０．４インチ（１０．２ｍｍ）の間の長さ、および、約０．４インチ（１０．２ｍｍ）と約０．８インチ（２０．３ｍｍ）の間の幅を有する。長さの寸法は、タブの中央線に沿ったノーズ４２ａ、４２ｂからヒール４６ａ、４６ｂまでのタブの中央線上で規定され、幅の寸法は、タブの中央線および長さの寸法との垂直として規定される。タブの中央線と垂直な方向が最大寸法でないときには、幅のための提供される寸法は、長さに対して斜めの最大寸法において測定されるのがよい。
【００３３】
指孔５０ａ、５０ｂの寸法は、より小さい端部および／またはアルミニウム合金で形成された端部に必要とされる開放力に相当する力をプルタブ４０ａ、４０ｂに加えることを可能にする。したがって、端部１４は、好ましくは２００寸法以下であり、好ましくは１８０寸法以下であり、より好ましくは１４０寸法以下であり、最も好ましくは１０８寸法以下である。好ましくは、端部は、少なくとも１００寸法である。
【００３４】
本願における開示は、たいていの実施形態のために、２００以下の端部を強調する。このパラメータを規定するもう１つの方法は、中央パネルの径によるものである。したがって、中央パネル２６ａ、２６ｂは、好ましくは約１．７インチ（４３．２ｍｍ）以下の径を有し、より好ましくは約１．６インチ（４０．６ｍｍ）以下の径を有し、さらにより好ましくは約１．５インチ（３８．１ｍｍ）以下の径を有し、より好ましくは約１．２５インチ（３１．６ｍｍ）以下の径を有し、かつ、約１．０インチ（２５．４ｍｍ）以上の径を有する。取り外し可能なパネル３２ａ、３２ｂは、好ましくは約１．６５インチ（４１．９ｍｍ）以下の径を有し、より好ましくは約１．５５インチ（３９．４ｍｍ）以下の径を有し、さらにより好ましくは約１．４５インチ（３６．８ｍｍ）以下の径を有し、より好ましくは約１．２０インチ（３０．５ｍｍ）以下の径を有し、最も好ましくは約１．０インチ（２５．４ｍｍ）以下の径を有する。好ましくは、最も大きい径または長さの寸法は、慣用的な容易開放ステイオンタブの注ぎ開口の最も大きい径または長さの寸法よりも大きい。
【００３５】
取り外し可能なパネルは、好ましくは中央パネルによって規定される面積の約６０％よりも大きい面積によって規定され、より好ましくは中央パネルによって規定される面積の約７５％よりも大きい面積によって規定され、より好ましくは中央パネルによって規定される面積の約８５％よりも大きい面積によって規定される。
【００３６】
図２を参照すると、缶１０の静止状態は、充填した後、消費者が缶に遭遇する状態である。静止状態におけるタブ４０（本願に記載された本発明の取り外し可能なパネル端部に一般的に言及するために添え字なしの参照番号を使用する）を有する缶１０に遭遇したとき、消費者は、タブのヒール４６を持ち上げてタブ４０をリベットを中心にして回動させ、接触部分３４の領域のスコアが破断されるまで、ノーズ４２から接触部分３４に力を加えることによって、缶１０を開放する。
【００３７】
本発明は、中央パネルのまわりに環状のカウンターシンクビードを有する端部を包含し、また、例えば、図４に示されている実施形態に示されているような、カウンターシンクビードを省略した、または欠く端部も包含する。環状ビードを有する実施形態では、中央パネルは、カウンターシンクビードの内側壁の内側にある平らな部分によって構成される。カウンターシンクの内側壁と平らな中央パネルとの間の移行部は、代表的には、小さい半径、湾曲パネル壁、または、面取りによって形成される。各々の場合、パネルの外側境界は、平らなパネルが移行部と出会う場所に規定される。発明者は、理想的な完全をいうのではなく、機能的な理由等のために、コイルから巻き解かれることによる完全な平面からの偏差、パネル上のエンボスおよびデボスを含む、端部がシェルプレスまたは慣用的なプレスを出るときに端部が存在する状態を意味するために、用語「平ら」を使用する。
【００３８】
カウンターシンクビードを有しない実施形態では、中央パネルの境界は、平らな部分と、中央パネルを壁に接合する湾曲部または曲げ部との間の移行部によって規定されるのがよい。図２を参照すると、缶１０の静止状態は、充填した後、消費者が缶に遭遇する状態である。静止状態におけるタブ４０（本願に記載された本発明の取り外し可能なパネル端部に一般的に言及するために添え字なしの参照番号を使用する）を有する缶１０に遭遇したとき、消費者は、タブのヒール４６を持ち上げてタブ４０をリベットを中心にして回動させ、接触部分３４の領域のスコアが破断されるまで、ノーズ４２から接触部分３４に力を加えることによって、缶１０を開放する。
【００３９】
図３は、スコア３０が破断され、かくして通気された（すなわち、缶が「ポンと開いた(popped)」）第１の開放作業を完成したときの缶１０を示している。最初のスコア破断後、消費者は、人差し指の先端を孔５０に部分的に挿入することによるか、あるいは、人差し指の先端と親指を孔５０の平面上で互いに押圧する（すなわち、消費者の人差し指と親指の間の接触はリム４８の表面に大まかに一致する）ことによって、タブ４０を掴む。別の方法として、使用者は、親指と人差し指の一側面との間で押圧することによってタブの本体４４またはヒール４６を掴んでもよい。掴むと、消費者は、図４の缶１０の準備完了状態で示されているように、取り外し可能なパネル３２が完全に取り外されるまで、タブ４０を、中央パネル２６と垂直に、あるいは、後方への剥離作用により引いて、取り外し可能なパネル３２のまわりでスコア３０の破断を伝搬させる。
【００４０】
図７は、第１および第２の実施形態の缶端部１４ａおよび１４ｂのために説明したのと同様な中央パネル２６ｃ、スコア３０ｃ、取り外し可能なパネル３２ｃ、接触部分３４ｃ、および、リベット３６ｃを含むもう１つの実施形態の缶端部１４ｃを示している。端部１４ｃのタブ４０ｃが、ノーズ４２ｃ、本体４４ｃ、ヒール４６ｃ、および、リム４８ｃを含む。ノーズ４２ｃは、以下でより十分に説明するように、ノーズ４２ｃが力を与えることを可能にするように、尖っている。ヒール４６ｃは、ノーズ４２ｃの反対側に位置する。本体４４ｃは、ノーズ４２ｃとヒール４６ｃの間で延びる。リム４８ｃが、該リム４８ｃが、指孔５０ｃを構成するように、本体４４ｃおよびヒール４６ｃの一部によって形成されている。リベット３６ｃ、口髭スコア５２ｃ、スコア３０ｃ、および、接触部分３４ｃは、第１の実施形態の端部１４ａために上述したのと同様である。
【００４１】
タブ４０ｃは、該タブ４０ｃが。持ち上げ表面を提供する突出部６０ｃのような持ち上げ特徴部を含むので、指の接近のためにヒール４６ｃとシームの間に隙間を作る必要はない。突出部６０ｃは、孔５０ｃ内に突出する、または、突き出る、すなわち、孔５０ｃの滑らかな湾曲を中断するようにリベット３６ｃの近くの本体４４ｃから後方に（すなわち、ヒール４６ｃに向かう方向に）延びるタブである。これに関して、ヒール４６ｃとシーム２０の隙間距離は、好ましくは０．５インチ（１２．７ｍｍ）未満であり、より好ましくは０．４インチ（１０．２ｍｍ）未満であり、より好ましくは０．３インチ（７．６５ｍｍ）未満である。別の例として、持ち上げ特徴部は、本体４４から延びる（図７に破線で示されている）１つ以上の側方突出部６６ｃであってもよい。突出部６０ｃおよび突出部６６ｃは各々、消費者の指による接触のための１以上の持ち上げ表面を提供する。
【００４２】
タブ４６ｃを作動させるために、使用者は、初めに、突出部６０ｃの持ち上げ表面６２ｃまたは突出部６６ｃの持ち上げ表面６８ｃに接触して、上述した開放手順の第１の段階（すなわち、準備完了の「ポンと開いた」状態）を完成すために、消費者の指をヒール４６ｃの下に置くことができる程度、タブ４０ｃを持ち上げる。取り外し可能なパネルの取り外しは、消費者の指が孔５０ｃに挿入され、スコア３０の破断を完全に伝搬するように引くと消費者によって完了される。
【００４３】
図８および図９は、引くための指孔を欠くもう１つの実施形態の端部１４ｄを示している。端部１４ｄは、第１および第２の実施形態の缶端部１４ａおよび１４ｂのために説明したのと同様なスコア３０ｄ、取り外し可能なパネル３２ｄ、接触部分３４ｄ、および、リベット３６ｄを含む。
【００４４】
端部１４ｄのタブ４０ｄが、ノーズ４２ｄ、本体４４ｄ、および、ヒール４６ｃを含む。ノーズ４２ｄは、以下でより十分に説明するように、ノーズ４２ｄが力を与えることを可能にするように、尖っている。ヒール４６ｄは、ノーズ４２ｄの反対側に位置する。本体４４ｄは、ノーズ４２ｄとヒール４６ｄの間で延び、好ましくは、大人の指の先端さえ挿入することができる複数の孔も、１つの孔もなく、連続的である。本実施形態によるタブは、美観的な理由、中央パネルへの視覚的接近を提供する理由、補強の理由、軽量化の理由等のために作ることができる貫通穴を包含する。これに関して、いずれの開口も、好ましくは、０．２５インチ（６．３５ｍｍ）未満の最長寸法を有するであろう。本体４４は、把持を向上させるために、チャンネル７０およびアイランド（島）７１のような嵩上げ構造(raised structure)を含むのがよい。リベット３６ｄ、口髭スコア５２ｄ、スコア３０ｄ、および、接触部分３４ｄは、第１の実施形態の端部１４ａために上述したのと同様である。
【００４５】
タブ４０ｄは指孔を欠くため、タブ４０ｄは、ヒール４６ｄとシーム２０の間の十分な指の接近を可能にする長さ（すなわち、ヒールからノーズまでの）寸法を有するのがよい。中央パネル２６ｄおよび取り外し可能なパネル３２ｄは、指の接近を向上させる（すなわち、消費者の指の先端がヒール４６ｄ、あるいは、タブ４０ｄの他の部分に接近するのを可能にする）ために、ヒール４６ｄの下または近くに浮彫式に示された凹部７０ｄを含むのがよい。リベット３６ｄのオフセット位置は、与圧缶が端部４０ｄをドーム形状に変形させる傾向があるので、ヒール４６ｄへの指の接近を向上させる。それ故、ヒール４６ｄは、中央パネルに凹部がなくてもシームドオン(seamed-on)端部の中央パネル２６ｄから間隔を隔てて配置されている（すなわち、鉛直方向間隙がある）のがよい。
【００４６】
タブ４６ｄを作動させるために、消費者、初めに、ヒール４６ｄに接触して、上述した開放手順の第１の段階（すなわち、準備完了の「ポンと開いた」状態）を完成すために、ヒール４６ｄを持ち上げる。与圧時の端部のドーム形状のため、および、端部の中心からのタブ４０ｄのオフセット位置のため、ヒール４６ｄと中央パネル２６ｄの間に、使用者の指がヒール４６ｄに係合する能力を向上させるための鉛直方向スペースを形成することができる。凹部７０ｄを有する実施形態では、凹部７０ｄもまた、指の接近を向上させるためのスペースを提供する。
【００４７】
本願の開示は、取り外し可能なパネルを有する実施形態のための２００よりも小さい端部を包含する。このパラメータを規定するもう１つの方法は、中央パネル径によるものである。したがって、端部１４ａ−１４ｄの中央パネル２６は、好ましくは約１．７インチ（４３．２ｍｍ）以下の径を有し、より好ましくは約１．６インチ（４０．６ｍｍ）以下の径を有し、より好ましくは約１．５インチ（３８．１ｍｍ）以下の径を有し、より好ましくは約１．２５インチ（３１．８ｍｍ）以下の径を有し、かつ、好ましくは約１．０インチ（２５．４ｍｍ）以上の径を有する。取り外し可能なパネルは、好ましくは約１．６５インチ（４１．９ｍｍ）の径を有し、より好ましくは１．５５インチ（３９．４ｍｍ）の径を有し、より好ましくは１．４５インチ（３６．８ｍｍ）の径を有し、より好ましくは１．２０インチ（３０．５ｍｍ）の径を有し、より好ましくは１．０インチ（２５．５ｍｍ）の径を有する。好ましくは、最大径または長さ寸法は、慣用的な容易開放ステイオンタブ端部の注ぎ開口部の最大径または長さ寸法よりも大きい。取り外し可能なパネルを有する端部と共に使用されるタブは、好ましくは、パネル３２がタブ作動時に変形するようなヒンジを有しない。
【００４８】
本発明のもう１つの観点によれば、２００以下の寸法を有する図１０および図１１に示されているステイオンタブは、ノーズ４２ｅ、本体４４ｅ、ヒール４６ｅ、リム４８ｅ、および、孔５０ｅを有するタブ４０ｅを含む。ノーズ４２ｅは、丸められており、その遠位先端部に接触部分を有する。ヒール４６ｅは、ノーズ４２ｅの反対側に位置している。本体４４ｅは、ノーズ４２ｅとヒール４６ｅの間で延びている。リム４８ｅは、該リム４８ｅが孔５０ｅを構成するように本体４４ｅおよびヒール４６ｅの一部によって形成されている。リム４８ｅおよび孔５０ｅは、慣用的なステイオンタブにおけるのと構造が同様である。
【００４９】
タブ４０ｅは、中央パネル２６ｅに接触するリベットアイランド７４ｅを含み、リベット３６ｅは、リベットアイランド７４ｅを通して取り付けられる。リベットアイランド７４ｅは、タブ４０ｅの作動時に形成されるヒンジ７６ｅを含む。
【００５０】
リベット３６ｅは、中央パネル２６ｅの中心からオフセットされているが、その他の点では、慣用的なものでよい。リベット３６ｅの位置およびタブ４０ｅの長さは、指の接近を向上させるために、端部シームまたは壁とヒール４６ｅとの間に少なくとも０．３インチ（７．６２ｍｍ）の隙間を作るように、端部１４ｅ上で利用可能な距離に従って選択されるのがよい。
【００５１】
中央パネル２６ｅは、スコア３０ｅを含み、スコア３０ｅは、好ましくは、スコア３０ｅの対向端がヒンジ７８ｅを形成するように非連続的である。スコア３０ｅおよびヒンジ７８ｅは、タブ４０ｅの作動時に開放可能である引き裂きパネル８０ｅを規定する。スコア３０ｅは、好ましくは、初期開放時に通気するようになった部分、および、チェックスロットを含む第１の部分８２と、リベット３６ｅの中心線の後方側まで延びる後方に突出するバルジ８３と、前方部分８５と、第２の側方部分８６と、リベット３６ｅの後方に延びるのがよい第２の端部分８７と、を含む。
【００５２】
好ましくは、引き裂きパネル８０ｅが作動されたときに形成される開口は、少なくとも０．３５平方インチ（２２６ｍｍ2）であり、より好ましくは少なくとも０．４平方インチ（２５８ｍｍ2）である。スコア３０ｅは、タブ４０ｅの中央線に沿った長さとして最も明らかに同定される長さＬを、側部８４と側部８６の間の寸法Ｌと垂直な最大距離として最も明らかに同定される幅Ｗで割ったアスペクト比を規定する。好ましくは、開口のアスペクト比は、少なくとも１．７５かつ３．５以下であり、より好ましくは少なくとも２．０かつ３．０以下であり、より好ましくは少なくとも２．５かつ２．７５以下である。
【００５３】
本願に記載されているように、慣用的な飲料缶と比較して本発明の端部の減少された寸法は、端部の構造の変更を可能にする。例えば、端部１４ｅは、より安価な５０００シリーズの合金または缶本体と同様な３０００シリーズの合金で形成することができ、端部シェルは、より薄いシェル、または組み合わせで形成することができる。さらには、開放能力をさらに向上させるために、スコア残部厚さ（すなわち、スコアを形成した後にスコアの底に残る端部の金属厚さ寸法）を、約０．００２５インチ（０．０６３５ｍｍ）とすることができる。
【００５４】
タブ４０ｅを作動させるために、消費者は、遍在するステイオンタブを開放するための慣用的な仕方でヒール４６ｅを掴む。消費者は、ヒール４６ｅを持ち上げて、ノーズ４２ｅを接触部分３４ｅに押し付け、スコアの第１の部分８２を破断する。ノーズ４２ｅから加えられる力が、初期の通気を通して、かつ、エネルギーの蓄積を通して、チェックスロットが破断するまでパネルに加えられ、その後、スコアは、バルジ８３、第１の部分８４、前方部分８５、および、第２の側部８６を通って、端部分８７で止まるまで、迅速に伝搬する。
【００５５】
ここで、本発明の端部に一般的に言及すると、端部１４は、慣用的な５０００シリーズのアルミニウム合金で形成される。本発明はまた、鋼、または、慣用的なブリキ板のような鋼合金、および、３０００シリーズの合金のような任意のアルミニウム合金でできた端部を包含する。これに関して、本発明は、端部の材料、スコアの構成、取り外し可能なパネル、および、使用すべき本願に記載されたプルタブによって可能にされる引き力で作動することができる開放および／または通気技術の組み合わせを包含する。例えば、２０２端部寸法のようなより大きな端部寸法のために５０００シリーズの合金が好ましいとしても、本発明者は、３０００シリーズの合金が、より小さな端部のために許容可能な圧力性能を提供するであろうと推測する。
【００５６】
図１２は、缶組立体が互いに積み重なるように、端部１４が缶の底の開口部内に嵌まるように、シーム２０の外径よりも大きい内径を有する飲料缶ベース１１を示している。
【００５７】
特定の寸法、構成、および、材料を使用して、本発明による端部が説明されている。本発明は、それらに限定されるものではなく、むしろ、特許請求の範囲に規定されている端部を包含する。
【符号の説明】
【００５８】
１０  飲料缶組立体
１４  缶端部
２０  シーム
２６  中央パネル
３０  スコア
３２  取り外し可能なパネル
３６  オフセットリベット
４０  タブ
４２  ノーズ
４６  ヒール
【図１Ａ】
2015534526.tif 000003
【図１Ｂ】
2015534526.tif 000004
【図２】
2015534526.tif 000005
【図３】
2015534526.tif 000006
【図４】
2015534526.tif 000007
【図５Ａ】
2015534526.tif 000008
【図５Ｂ】
2015534526.tif 000009
【図６Ａ】
2015534526.tif 000010
【図６Ｂ】
2015534526.tif 000011
【図７】
2015534526.tif 000012
【図８】
2015534526.tif 000013
【図９】
2015534526.tif 000014
【図１０】
2015534526.tif 000015
【図１１】
2015534526.tif 000016
【図１２】
2015534526.tif 000017
【国際調査報告】
2015534526.tif 000018
2015534526.tif 000019